(57)【要約】【課題】音量感を損なうことなく、温度上昇による音響装置の破壊を防止する。【解決手段】パワーアンプ２およびスイッチング電源４のいずれかの温度が第１の温度以上になると、ファン５を駆動してパワーアンプ２とスイッチング電源４とを冷却する。冷却開始後も温度が上昇し続け、パワーアンプ２およびスイッチング電源４のいずれかが第１の温度より高い第３の温度になると、システムマイコン１２は電子ボリューム１を制御してボリュームゲインを所定のレベル分だけ下げる。その後、所定の時間ごとに第１および第２のサーミスタ６，７により温度を確認し、パワーアンプ２およびスイッチング電源４のいずれかの温度が第３の温度より高い場合は、所定のレベル分だけボリュームゲインを下げる。また、音源機器の動作が停止、もしくはスイッチング電源が切断または待機状態になるまではボリュームゲインを下げる方向にしか変化させない。【選択図】図１
2007300457.tif 000002
【特許請求の範囲】
【請求項１】
音源機器からのオーディオ信号をスピーカに供給して音声再生する音響装置であって、
前記オーディオ信号を増幅して前記スピーカに供給するパワーアンプと、
このパワーアンプに電力を供給する電源と、
前記スピーカからの出力音量を調整する音量調整手段と、
前記パワーアンプの温度を検出する第１の温度検出手段と、
前記電源の温度を検出する第２の温度検出手段と、
前記第１の温度検出手段および前記第２の温度検出手段のうちの少なくともいずれか一方の検出温度が所定の温度以上にまで上昇したときは、前記スピーカからの出力音量を決めるボリュームゲインを所定のレベル分だけ下げ、その後、一定時間ごとに前記第１の温度検出手段および前記第２の温度検出手段の検出温度を確認し、前記第１の温度検出手段および前記第２の温度検出手段のうちの少なくともいずれか一方の検出温度が前記所定の温度以上のときは前記ボリュームゲインを前記所定のレベル分だけ下げるように前記音量調整手段を制御する音量制御手段とを備え、
前記音量制御手段は、前記音源機器の動作が停止、もしくは前記電源が切断または待機状態にされるまでは、前記ボリュームゲインを下げる方向にのみ変化させるように前記音量調整手段を制御することを特徴とする音響装置。
【請求項２】
音源機器からのオーディオ信号をスピーカに供給して音声再生する音響装置であって、
前記オーディオ信号を増幅して前記スピーカに供給するパワーアンプと、
このパワーアンプに電力を供給する電源と、
前記スピーカからの出力音量を調整する音量調整手段と、
前記パワーアンプの温度を検出する第１の温度検出手段と、
前記電源の温度を検出する第２の温度検出手段と、
前記第１の温度検出手段および前記第２の温度検出手段のうちの少なくともいずれか一方の検出温度が、所定の第１の温度以上にまで上昇したときは、前記スピーカからの出力音量を決めるボリュームゲインを所定の第１のレベル分だけ下げ、その後、一定時間ごとに前記第１の温度検出手段および前記第２の温度検出手段の検出温度を確認し、前記第１の温度検出手段および前記第２の温度検出手段のうちの少なくともいずれか一方の検出温度が、前記第１の温度より高い前記第２の温度以上のときは、前記ボリュームゲインを前記第１のレベルより大きい第２のレベル分だけ下げ、前記第１の温度以上であるが前記第２の温度より低いときは、前記ボリュームゲインを前記第１のレベル分だけ下げるように前記音量調整手段を制御する音量制御手段とを備え、
前記音量制御手段は、前記音源機器の動作が停止、もしくは前記電源が切断または待機状態にされるまでは、前記ボリュームゲインを下げる方向にのみ変化させるように前記音量調整手段を制御することを特徴とする音響装置。
【請求項３】
音源機器からのオーディオ信号をスピーカに供給して音声再生する音響装置であって、
前記オーディオ信号を増幅して前記スピーカに供給するパワーアンプと、
このパワーアンプに電力を供給する電源と、
前記スピーカからの出力音量を調整する音量調整手段と、
前記パワーアンプの温度を検出する第１の温度検出手段と、
前記電源の温度を検出する第２の温度検出手段と、
前記第１の温度検出手段および前記第２の温度検出手段のうちの少なくともいずれか一方の検出温度が、所定の第１の温度以上にまで上昇したときは、前記スピーカからの出力音量を決めるボリュームゲインを所定の第１のレベル分だけ下げ、その後、所定の第１の時間ごとに前記第１の温度検出手段および前記第２の温度検出手段の検出温度を確認し、前記第１の温度検出手段および前記第２の温度検出手段のうちの少なくともいずれか一方の検出温度が、前記第１の温度より高い第２の温度以上のときは、前記ボリュームゲインを前記第１のレベルより大きい第２のレベル分だけ下げ、前記第１の温度以上であるが前記第２の温度より低いときは、前記ボリュームゲインを前記第１のレベル分だけ下げ、前記第１の温度検出手段および前記第２の温度検出手段のうちの少なくともいずれか一方の検出温度が、少なくとも１度は前記第２の温度以上にまで達した後で、前記第１の温度以上で前記第２の温度より低い温度になっているときは、前記第１の時間より長い第２の時間ごとに前記第１の温度検出手段および前記第２の温度検出手段の検出温度を確認し、前記第１の温度検出手段および前記第２の温度検出手段のうちの少なくともいずれか一方の検出温度が、前記第２の温度以上のときは、前記ボリュームゲインを前記第２のレベル分だけ下げ、前記第１の温度以上であるが前記第２の温度より低いときは、前記ボリュームゲインを前記第１のレベル分だけ下げるように前記音量調整手段を制御する音量制御手段とを備え、
前記音量制御手段は、前記音源機器の動作が停止、もしくは前記電源が切断または待機状態にされるまでは、前記ボリュームゲインを下げる方向にのみ変化させるように前記音量調整手段を制御することを特徴とする音響装置。
【発明の詳細な説明】
【技術分野】
【０００１】
本発明は、オーディオ信号を再生する音響装置に関する。
【背景技術】
【０００２】
従来の音響装置において、パワーアンプやパワーアンプの電源に使用するスイッチング電源などの温度上昇による装置の破壊を防ぐために、これらの温度上昇を抑えていた。このような従来の音響装置としては、特許文献１に記載されたものが報告されている。
【０００３】
特許文献１に記載された音響装置では、音声アンプ回路の温度を検出して、検出した温度に応じて音量を可変制御することにより、音声アンプ回路の温度上昇を抑えるようにしている。
【特許文献１】実開昭６２−４２３２３号公報
【発明の開示】
【発明が解決しようとする課題】
【０００４】
しかしながら、特許文献１に開示されているように、音声アンプ回路の温度によって音量を可変制御する音響装置では、温度が上がると音量は下がり、温度が下がってくると音量が上がることになる。つまり、音量が温度によってＡＭ変調されてしまう。このため、音量がふらふらと変動することになり、使用者にとっては非常に聞きづらく、音量感が損なわれるという問題があった。
【０００５】
本発明は上記に鑑みてなされたもので、音量感を損なうことなく、温度上昇による自装置の破壊を防止する音響装置を提供することを目的とする。
【課題を解決するための手段】
【０００６】
上記目的を達成するため、本発明の音響装置は、音源機器からのオーディオ信号をスピーカに供給して音声再生する音響装置であって、前記オーディオ信号を増幅して前記スピーカに供給するパワーアンプと、このパワーアンプに電力を供給する電源と、前記スピーカからの出力音量を調整する音量調整手段と、前記パワーアンプの温度を検出する第１の温度検出手段と、前記電源の温度を検出する第２の温度検出手段と、前記第１の温度検出手段および前記第２の温度検出手段のうちの少なくともいずれか一方の検出温度が所定の温度以上にまで上昇したときは、前記スピーカからの出力音量を決めるボリュームゲインを所定のレベル分だけ下げ、その後、一定時間ごとに前記第１の温度検出手段および前記第２の温度検出手段の検出温度を確認し、前記第１の温度検出手段および前記第２の温度検出手段のうちの少なくともいずれか一方の検出温度が前記所定の温度以上のときは前記ボリュームゲインを前記所定のレベル分だけ下げるように前記音量調整手段を制御する音量制御手段とを備え、前記音量制御手段は、前記音源機器の動作が停止、もしくは前記電源が切断または待機状態にされるまでは、前記ボリュームゲインを下げる方向にのみ変化させるように前記音量調整手段を制御することを特徴とする。
【０００７】
また、本発明の音響装置は、音源機器からのオーディオ信号をスピーカに供給して音声再生する音響装置であって、前記オーディオ信号を増幅して前記スピーカに供給するパワーアンプと、このパワーアンプに電力を供給する電源と、前記スピーカからの出力音量を調整する音量調整手段と、前記パワーアンプの温度を検出する第１の温度検出手段と、前記電源の温度を検出する第２の温度検出手段と、前記第１の温度検出手段および前記第２の温度検出手段のうちの少なくともいずれか一方の検出温度が、所定の第１の温度以上にまで上昇したときは、前記スピーカからの出力音量を決めるボリュームゲインを所定の第１のレベル分だけ下げ、その後、一定時間ごとに前記第１の温度検出手段および前記第２の温度検出手段の検出温度を確認し、前記第１の温度検出手段および前記第２の温度検出手段のうちの少なくともいずれか一方の検出温度が、前記第１の温度より高い前記第２の温度以上のときは、前記ボリュームゲインを前記第１のレベルより大きい第２のレベル分だけ下げ、前記第１の温度以上であるが前記第２の温度より低いときは、前記ボリュームゲインを前記第１のレベル分だけ下げるように前記音量調整手段を制御する音量制御手段とを備え、前記音量制御手段は、前記音源機器の動作が停止、もしくは前記電源が切断または待機状態にされるまでは、前記ボリュームゲインを下げる方向にのみ変化させるように前記音量調整手段を制御することを特徴とする。
【０００８】
また、本発明の音響装置は、音源機器からのオーディオ信号をスピーカに供給して音声再生する音響装置であって、前記オーディオ信号を増幅して前記スピーカに供給するパワーアンプと、このパワーアンプに電力を供給する電源と、前記スピーカからの出力音量を調整する音量調整手段と、前記パワーアンプの温度を検出する第１の温度検出手段と、前記電源の温度を検出する第２の温度検出手段と、前記第１の温度検出手段および前記第２の温度検出手段のうちの少なくともいずれか一方の検出温度が、所定の第１の温度以上にまで上昇したときは、前記スピーカからの出力音量を決めるボリュームゲインを所定の第１のレベル分だけ下げ、その後、所定の第１の時間ごとに前記第１の温度検出手段および前記第２の温度検出手段の検出温度を確認し、前記第１の温度検出手段および前記第２の温度検出手段のうちの少なくともいずれか一方の検出温度が、前記第１の温度より高い第２の温度以上のときは、前記ボリュームゲインを前記第１のレベルより大きい第２のレベル分だけ下げ、前記第１の温度以上であるが前記第２の温度より低いときは、前記ボリュームゲインを前記第１のレベル分だけ下げ、前記第１の温度検出手段および前記第２の温度検出手段のうちの少なくともいずれか一方の検出温度が、少なくとも１度は前記第２の温度以上にまで達した後で、前記第１の温度以上で前記第２の温度より低い温度になっているときは、前記第１の時間より長い第２の時間ごとに前記第１の温度検出手段および前記第２の温度検出手段の検出温度を確認し、前記第１の温度検出手段および前記第２の温度検出手段のうちの少なくともいずれか一方の検出温度が、前記第２の温度以上のときは、前記ボリュームゲインを前記第２のレベル分だけ下げ、前記第１の温度以上であるが前記第２の温度より低いときは、前記ボリュームゲインを前記第１のレベル分だけ下げるように前記音量調整手段を制御する音量制御手段とを備え、前記音量制御手段は、前記音源機器の動作が停止、もしくは前記電源が切断または待機状態にされるまでは、前記ボリュームゲインを下げる方向にのみ変化させるように前記音量調整手段を制御することを特徴とする。
【発明の効果】
【０００９】
本発明の音響装置は、パワーアンプおよび電源の温度に応じてボリュームゲインを下げるように制御し、音源機器の動作が停止、もしくは電源が切断または待機状態にされるまではボリュームゲインを下げる方向にしか変化させないので、音量感を損なうことなく、温度上昇による自装置の破壊を防止することができる。
【発明を実施するための最良の形態】
【００１０】
以下、本発明の音響装置を実施するための最良の形態について、図面を参照して説明する。
【００１１】
（第１の実施の形態）
図１は本発明の第１の実施の形態に係る音響装置を示す構成図である。図１に示すように第１の実施の形態に係る音響装置は、電子ボリューム１と、パワーアンプ２と、スピーカ３と、スイッチング電源４と、ファン５と、第１のサーミスタ６と、第２のサーミスタ７と、システムマイコン１２と、操作スイッチ１３と、表示部１４とを備える。
【００１２】
電子ボリューム１は、図示しない内蔵または外部の音源機器からのオーディオ信号が入力されると、スピーカからの出力音量を決めるボリュームゲインに応じて音量調整する。ボリュームゲインは、システムマイコン１２の制御により設定される。
【００１３】
パワーアンプ２は、電子ボリューム１で音量調整されたオーディオ信号を増幅してスピーカ３に供給する。スピーカ３はパワーアンプ２から供給されたオーディオ信号を音声として出力する。
【００１４】
スイッチング電源４は、パワーアンプ２および装置全体の電源であり、パワーアンプ２と装置に設けられた各部に電力を供給する。ファン５は、パワーアンプ２およびスイッチング電源４に送風して冷却する。
【００１５】
第１のサーミスタ６は、パワーアンプ２と熱結合し、パワーアンプ２の熱を検出する。第１のサーミスタ６の一端はアースに接続され、他端はプルアップ抵抗８を介してプルアップ電源９に接続されている。第２のサーミスタ７は、スイッチング電源４と熱結合し、スイッチング電源４の熱を検出する。第２のサーミスタ７の一端はアースに接続され、他端はプルアップ抵抗１０を介してプルアップ電源１１に接続されている。
【００１６】
第１および第２のサーミスタ６，７は、それぞれ両端電圧をシステムマイコン１２に出力する。第１および第２のサーミスタ６，７の両端電圧は、温度の上昇に伴って単調に下がる。
【００１７】
システムマイコン１２は、第１および第２のサーミスタ６，７の両端電圧からパワーアンプ２およびスイッチング電源４の温度を求め、これらの温度に基づいて、電子ボリューム１に設定するボリュームゲインを制御する。また、システムマイコン１２は、ファン５を駆動制御する。
【００１８】
操作スイッチ１３は、ユーザ操作に応じて電子ボリューム１の設定等を行う。表示部１４は、音量、音質等を表示する。
【００１９】
次に、第１の実施の形態に係る音響装置の動作ならびに音量を制御する手順を説明する。図２は本発明の第１の実施の形態に係る音響装置において音量を制御する手順を示すフローチャートである。
【００２０】
システムマイコン１２は、第１および第２のサーミスタ６，７の両端電圧に基づいて、パワーアンプ２およびスイッチング電源４の温度を検出している。ステップＳ１１０では、システムマイコン１２は、第１および第２のサーミスタ６，７のいずれかの両端電圧が、所定の第１の温度（例えば、７０℃）以上に相当する電圧になったかどうかを判断する。
【００２１】
いずれかが第１の温度以上である（ステップＳ１１０：ＹＥＳ）場合、ステップＳ１２０において、システムマイコン１２は、ファン５を駆動してパワーアンプ２およびスイッチング電源４を冷却する。いずれも第１の温度以上でない（ステップＳ１１０：ＮＯ）場合、ステップＳ１１０に戻る。
【００２２】
次いで、ステップＳ１３０では、システムマイコン１２は、第１および第２のサーミスタ６，７の両端電圧が、ともに第１の温度より低い第２の温度（例えば、６０℃）以下に相当する電圧になったかどうかを判断する。
【００２３】
ともに第２の温度以下である（ステップＳ１３０：ＹＥＳ）場合、ステップＳ１４０において、システムマイコン１２は、ファン５を停止させる。その後、ステップＳ１１０に戻る。
【００２４】
いずれかが第２の温度以下でない（ステップＳ１３０：ＮＯ）場合、ステップＳ１５０において、システムマイコン１２は、第１および第２のサーミスタ６，７のいずれかの両端電圧が、第１の温度より高い第３の温度（例えば、８０℃）以上に相当する電圧になったかどうかを判断する。いずれかが第３の温度以上である（ステップＳ１５０：ＹＥＳ）場合、ステップＳ１６０に進み、いずれも第３の温度以上でない（ステップＳ１５０：ＮＯ）場合、ステップＳ１３０に戻る。
【００２５】
そして、ステップＳ１６０では、システムマイコン１２は、ボリュームゲインを所定のレベル（例えば、１ｄＢ）分だけ下げるように電子ボリューム１を制御する。その後、ステップＳ１７０において、システムマイコン１２は、図示しない内蔵のタイマをスタートする。
【００２６】
そして、ステップＳ１８０において、システムマイコン１２は、所定の時間（例えば、２０秒間）経過したかどうかを判断する。所定の時間経過した（ステップＳ１８０：ＹＥＳ）場合、ステップＳ１９０において、システムマイコン１２は、タイマをリセットする。その後、ステップＳ１５０に戻る。所定の時間経過していない（ステップＳ１８０：ＮＯ）場合、ステップＳ１８０に戻る。
【００２７】
音源機器の動作が停止、もしくはスイッチング電源４が切断または待機状態になったら、システムマイコン１２は、ボリュームゲインをリセットし、元のレベルに戻すように電子ボリューム１を制御する。それまでは、ボリュームゲインを下げる方向にしか変化させない。
【００２８】
上記説明のように、第１の実施の形態では、パワーアンプ２およびスイッチング電源４のうちのいずれかの温度が第１の温度以上になったときに、ファン５を駆動して、パワーアンプ２とスイッチング電源４とを冷却する。ファン５の冷却によっても温度が上昇し続け、パワーアンプ２およびスイッチング電源４のうちのいずれかの温度が第１の温度より高い第３の温度になったときに、システムマイコン１２は電子ボリューム１を制御して、ボリュームゲインを所定のレベル（例えば、１ｄＢ）分だけ下げる。その後、所定の時間（例えば、２０秒間）ごとに第１および第２のサーミスタ６，７により温度を確認して、パワーアンプ２およびスイッチング電源４のうちのいずれかの温度が、第３の温度より高い場合は、所定のレベル分だけボリュームゲインを下げる。これをパワーアンプ２とスイッチング電源４の温度がともに第３の温度以下になるまで続ける。
【００２９】
これにより、パワーアンプ２およびスイッチング電源４の温度上昇を防止し、自装置の破壊を防止することができる。
【００３０】
また、温度が上がったらボリュームゲインを下げる方向にしか変化させず、温度が下がってもボリュームゲインは復帰せずに、音源機器の動作が停止するなど一連の使用状態が終了するまで、ボリュームゲインを下げた状態で保持するようになっている。
【００３１】
このため、温度変化によって音量がふらふらと変動することがない。さらに、一定時間ごとにパワーアンプ２およびスイッチング電源４の温度を確認し、その温度によりボリュームゲインを変えるので、音量変化が緩やかで音量感を損なうことがなく、使用者に不快感を与えることがない。
【００３２】
なお、使用状況によっては、ファン５は設けなくてもよい。この場合、パワーアンプ２およびスイッチング電源４のうちのいずれかの温度が所定の温度（例えば、７０℃）になったときに、システムマイコン１２は電子ボリューム１を制御して、ボリュームゲインを所定のレベル（例えば、１ｄＢ）分だけ下げる。その後、所定の時間（例えば、２０秒間）ごとに第１および第２のサーミスタ６，７により温度を確認して、パワーアンプ２およびスイッチング電源４のうちのいずれかの温度が、所定の温度より高い場合は、所定のレベル分だけボリュームゲインを下げる。これをパワーアンプ２とスイッチング電源４の温度がともに所定の温度以下になるまで続ける。
【００３３】
（第２の実施の形態）
次に、第２の実施の形態について説明する。図３は本発明の第２の実施の形態に係る音響装置において音量を制御する手順を示すフローチャートである。なお、第２の実施の形態に係る音響装置の構成は、図１に示す第１の実施の形態に係る音響装置の構成と同様である。
【００３４】
図３において、ステップＳ２１０〜Ｓ２５０は、第１の実施の形態における図２のステップＳ１１０〜Ｓ１５０と同様であるので説明を省略する。
【００３５】
ステップＳ２５０の判断で、いずれかが第３の温度以上である（ＹＥＳ）場合、ステップＳ２６０では、システムマイコン１２は、ボリュームゲインを所定の第１のレベル（例えば、１ｄＢ）分だけ下げるように電子ボリューム１を制御する。その後、ステップＳ２７０において、システムマイコン１２は、タイマをスタートする。
【００３６】
そして、ステップＳ２８０において、システムマイコン１２は、所定の時間（例えば、２０秒間）経過したかどうかを判断する。所定の時間経過した（ステップＳ２８０：ＹＥＳ）場合、ステップＳ２９０において、システムマイコン１２は、タイマをリセットし、その後、ステップＳ３００に進む。所定の時間経過していない（ステップＳ２８０：ＮＯ）場合、ステップＳ２８０に戻る。
【００３７】
ステップＳ３００では、システムマイコン１２は、第１および第２のサーミスタ６，７のいずれかの両端電圧が、第３の温度より高い第４の温度（例えば、８５℃）以上に相当する電圧になったかどうかを判断する。いずれかが第４の温度以上である（ステップＳ３００：ＹＥＳ）場合、ステップＳ３１０に進み、いずれも第４の温度以上でない（ステップＳ３００：ＮＯ）場合、ステップＳ２５０に戻る。
【００３８】
ステップＳ３１０では、システムマイコン１２は、ボリュームゲインを第１のレベルより大きい第２のレベル（例えば、２ｄＢ）分だけ下げるように電子ボリューム１を制御する。その後、ステップＳ２７０に戻る。
【００３９】
第１の実施の形態と同様に、音源機器の動作が停止、もしくはスイッチング電源４が切断または待機状態になったら、システムマイコン１２は、ボリュームゲインをリセットし、元のレベルに戻すように電子ボリューム１を制御する。それまでは、ボリュームゲインを下げる方向にしか変化させない。
【００４０】
上記説明のように、第２の実施の形態では、ファン５の冷却によっても温度が上昇し続け、パワーアンプ２およびスイッチング電源４のうちのいずれかの温度が第１の温度より高い第３の温度になったときに、ボリュームゲインを第１のレベル（例えば、１ｄＢ）分だけ下げる。その後、所定の時間（例えば、２０秒間）ごとに第１および第２のサーミスタ６，７により温度を確認して、パワーアンプ２およびスイッチング電源４のうちのいずれかの温度が、第３の温度より高い第４の温度（例えば、８５℃）に達した場合は、第１のレベルより大きい第２のレベル（例えば、２ｄＢ）分だけボリュームゲインを下げる。第４の温度に達していないが第３の温度より高い場合は、ボリュームゲインを第１のレベル分だけ下げる。さらに所定の時間経過後に温度を確認して、上記と同様の処理をし、パワーアンプ２とスイッチング電源４の温度がともに第３の温度以下になるまで続ける。
【００４１】
これにより、第１の実施の形態と同様の効果を奏するとともに、より急激な温度上昇に対応できる。
【００４２】
なお、第２の実施の形態においても、第１の実施の形態と同様に、使用状況によっては、ファン５は設けなくてもよい。この場合、パワーアンプ２およびスイッチング電源４のうちのいずれかの温度が、例えば第１の温度（例えば、７０℃）になったときに、ボリュームゲインを第１のレベル（例えば、１ｄＢ）分だけ下げる。その後、所定の時間（例えば、２０秒間）ごとに第１および第２のサーミスタ６，７により温度を確認して、パワーアンプ２およびスイッチング電源４のうちのいずれかの温度が、例えば第３の温度（例えば、８０℃）に達した場合は、第１のレベルより大きい第２のレベル（例えば、２ｄＢ）分だけボリュームゲインを下げる。第３の温度に達していないが第１の温度より高い場合は、ボリュームゲインを第１のレベル分だけ下げる。さらに所定の時間経過後に温度を確認して、上記と同様の処理をし、パワーアンプ２とスイッチング電源４の温度がともに第１の温度以下になるまで続ける。
【００４３】
（第３の実施の形態）
次に、第３の実施の形態について説明する。図４は本発明の第３の実施の形態に係る音響装置において音量を制御する手順を示すフローチャートである。なお、第３の実施の形態に係る音響装置の構成は、図１に示す第１の実施の形態に係る音響装置の構成と同様である。
【００４４】
図４において、ステップＳ４１０〜Ｓ４６０は、第２の実施の形態における図３のステップＳ２１０〜Ｓ２６０と同様であるので説明を省略する。
【００４５】
ステップＳ４６０でボリュームゲインを所定の第１のレベル（例えば、１ｄＢ）分だけ下げた後、ステップＳ４７０において、システムマイコン１２は、図示しない内蔵の第１のタイマをスタートする。
【００４６】
そして、ステップＳ４８０において、システムマイコン１２は、所定の第１の時間（例えば、２０秒間）経過したかどうかを判断する。第１の時間経過した（ステップＳ４８０：ＹＥＳ）場合、ステップＳ４９０において、システムマイコン１２は、第１のタイマをリセットし、その後、ステップＳ５００に進む。第１の時間経過していない（ステップＳ４８０：ＮＯ）場合、ステップＳ４８０に戻る。
【００４７】
ステップＳ５００では、システムマイコン１２は、第１および第２のサーミスタ６，７のいずれかの両端電圧が、第３の温度より高い第４の温度（例えば、８５℃）以上に相当する電圧になったかどうかを判断する。いずれかが第４の温度以上である（ステップＳ５００：ＹＥＳ）場合、ステップＳ５１０に進み、いずれも第４の温度以上でない（ステップＳ５００：ＮＯ）場合、ステップＳ５２０に進む。
【００４８】
ステップＳ５１０では、システムマイコン１２は、ボリュームゲインを第１のレベルより大きい第２のレベル（例えば、２ｄＢ）分だけ下げるように電子ボリューム１を制御する。その後、ステップＳ４７０に戻る。
【００４９】
ステップＳ５２０では、システムマイコン１２は、第１および第２のサーミスタ６，７のいずれかの両端電圧が、第３の温度以上に相当する電圧であるどうかを判断する。いずれかが第３の温度以上である（ステップＳ５２０：ＹＥＳ）場合、ステップＳ５３０に進み、いずれも第３の温度以上でない（ステップＳ５２０：ＮＯ）場合、ステップＳ４３０に戻る。
【００５０】
ステップＳ５３０では、システムマイコン１２は、ボリュームゲインを第１のレベル分だけ下げるように電子ボリューム１を制御する。その後、ステップＳ５４０では、システムマイコン１２は、パワーアンプ２およびスイッチング電源４のうちのいずれかの温度が少なくとも１度は第４の温度以上に達したかどうかを判断する。
【００５１】
いずれかが第４の温度に達したことがある（ステップＳ５４０：ＹＥＳ）場合、ステップＳ５５０に進み、いずれも第４の温度に達したことがない（ステップＳ５４０：ＮＯ）場合、ステップＳ４７０に戻る。
【００５２】
ステップＳ５５０において、システムマイコン１２は、図示しない内蔵の第２のタイマをスタートする。そして、ステップＳ５６０において、システムマイコン１２は、第１の時間より長い第２の時間（例えば、２分間）経過したかどうかを判断する。第２の時間経過した（ステップＳ５６０：ＹＥＳ）場合、ステップＳ５７０において、システムマイコン１２は、第２のタイマをリセットし、その後、ステップＳ５００に戻る。第２の時間経過していない（ステップＳ５６０：ＮＯ）場合、ステップＳ５６０に戻る。
【００５３】
第１、第２の実施の形態と同様に、音源機器の動作が停止、もしくはスイッチング電源４が切断または待機状態になったら、システムマイコン１２は、ボリュームゲインをリセットし、元のレベルに戻すように電子ボリューム１を制御する。それまでは、ボリュームゲインを下げる方向にしか変化させない。
【００５４】
上記説明のように、第３の実施の形態では、ファン５の冷却によっても温度が上昇し続け、パワーアンプ２およびスイッチング電源４のうちのいずれかの温度が第１の温度より高い第３の温度になったときに、ボリュームゲインを第１のレベル（例えば、１ｄＢ）分だけ下げる。その後、第１の時間（例えば、２０秒間）ごとに第１および第２のサーミスタ６，７により温度を確認して、パワーアンプ２およびスイッチング電源４のうちのいずれかの温度が、第３の温度より高い第４の温度（例えば、８５℃）に達した場合は、第１のレベルより大きい第２のレベル（例えば、２ｄＢ）分だけボリュームゲインを下げる。第４の温度に達していないが第３の温度より高い場合は、ボリュームゲインを第１のレベル分だけ下げる。
【００５５】
そして、パワーアンプ２およびスイッチング電源４のうちのいずれかの温度が、少なくとも１度は第４の温度以上にまで達した後で、第３の温度以上で第４の温度より低い温度になっているときは、第１の時間より長い第２の時間（例えば、２分間）ごとに温度を確認して、ボリュームゲインを制御し、パワーアンプ２とスイッチング電源４の温度がともに第３の温度以下になるまで続ける。
【００５６】
ボリュームゲインを下げても、パワーアンプ２、スイッチング電源４の温度が下がるまでにはある程度の時間がかかるため、上述のように第１の時間より長い第２の時間ごとに温度を確認するようにすることで、ボリュームゲインを下げすぎて必要以上に音量が小さくなることを防止することができる。
【００５７】
なお、第３の実施の形態においても、第１、第２の実施の形態と同様に、使用状況によっては、ファン５は設けなくてもよい。この場合、パワーアンプ２およびスイッチング電源４のうちのいずれかの温度が、例えば第１の温度（例えば、７０℃）になったときに、ボリュームゲインを第１のレベル（例えば、１ｄＢ）分だけ下げる。その後、第１の時間（例えば、２０秒間）ごとに第１および第２のサーミスタ６，７により温度を確認して、パワーアンプ２およびスイッチング電源４のうちのいずれかの温度が、例えば第３の温度（例えば、８０℃）に達した場合は、第１のレベルより大きい第２のレベル（例えば、２ｄＢ）分だけボリュームゲインを下げる。第３の温度に達していないが第１の温度より高い場合は、ボリュームゲインを第１のレベル分だけ下げる。
【００５８】
そして、パワーアンプ２およびスイッチング電源４のうちのいずれかの温度が、少なくとも１度は第３の温度以上にまで達した後で、第１の温度以上で第３の温度より低い温度になっているときは、第１の時間より長い第２の時間（例えば、２分間）ごとに温度を確認して、ボリュームゲインを制御し、パワーアンプ２とスイッチング電源４の温度がともに第１の温度以下になるまで続ける。
【図面の簡単な説明】
【００５９】
【図１】本発明の第１の実施の形態に係る音響装置を示す構成図である。
【図２】本発明の第１の実施の形態に係る音響装置において音量を制御する手順を示すフローチャートである。
【図３】本発明の第２の実施の形態に係る音響装置において音量を制御する手順を示すフローチャートである。
【図４】本発明の第３の実施の形態に係る音響装置において音量を制御する手順を示すフローチャートである。
【符号の説明】
【００６０】
１    電子ボリューム
２    パワーアンプ
３    スピーカ
４    スイッチング電源
５    ファン
６    第１のサーミスタ
７    第２のサーミスタ
８，１０    プルアップ抵抗
９，１１    プルアップ電源
１２    システムマイコン
１３    操作スイッチ
１４    表示部
【図１】
2007300457.tif 000003
【図２】
2007300457.tif 000004
【図３】
2007300457.tif 000005
【図４】
2007300457.tif 000006